(57)【特許請求の範囲】
【請求項１】
各汚水槽内の汚水をポンプにより樹枝状配管を構成する枝管と本管を経て圧送する圧力式下水道システムであって、前記本管の容量に対して同時に稼動可能なポンプの台数である許容稼動台数が設定されているものにおいて、
（ａ）各汚水槽に、前記ポンプと、水位測定手段と、制御部と、通信制御部とからなるポンプユニットを設け、
（ｂ）前記水位測定手段は、前記汚水槽内の水位を測定し、前記ポンプの汚水排出により汚水槽内の水位が汚水槽の底付近に下がって、そのポンプの稼動を停止させるべき所定の水位であるポンプＯＦＦ水位、汚水流入により汚水槽内の水位が所定の高さとなってポンプによる汚水排出を開始させるべき所定の水位であるポンプＯＮ水位、汚水槽内の水位が汚水槽内の満水付近の所定の水位である満水前水位及び汚水槽の満水を示す所定の水位である満水水位をそれぞれ示す信号を前記制御部に出力するものであり、
（ｃ）前記制御部のうち、一つのポンプユニットの制御部は親機として、他のポンプユニットの制御部は子機としてそれぞれ機能するものであり、
（ｃ１）前記親機は、自身のポンプユニットと他のポンプユニットの水位測定手段からの水位を示す信号を監視するとともに、各ポンプユニットのポンプが稼動中か、非稼動中かを示す信号を受信して、
（ｃ１１）前記許容稼動台数のポンプが同時に稼動中に、非稼動中のポンプに係る汚水槽の水位測定手段から満水前水位以上を示す信号を入力したときは、現在稼動中のポンプに係る汚水槽の水位測定手段からポンプＯＮ水位未満を示す信号を入力したときに、その汚水槽の稼動中のポンプを停止させるとともに、前記満水前水位以上を示す信号を出力した汚水槽の非稼動中のポンプの稼動を開始させる制御信号を当該ポンプを制御するポンプユニットに出力し、
（ｃ１２）非稼動中のポンプに係る汚水槽の水位測定手段から満水水位を示す信号を入力したときは、稼動中のポンプに係る汚水槽の水位測定手段から満水前水位未満を示す信号を入力したとき、その稼動中のポンプを停止させるとともに、前記満水水位の汚水槽の非稼動中のポンプの稼動を開始させる制御信号を出力するものであり、
（ｃ２）前記子機は、自身のポンプユニットの水位測定手段の水位を示す信号及びポンプの稼動中又は非稼動中を示す信号を前記親機に送信するとともに、前記親機からの制御信号を受信してポンプを制御するものである、
ことを特徴とする圧力式下水道システム。
【請求項２】
各汚水槽内の汚水をポンプにより樹枝状配管を構成する枝管と本管を経て圧送する圧力式下水道システムであって、前記本管の容量に対して同時に稼動可能なポンプの台数である許容稼動台数が設定されているものにおいて、
（ａ）各汚水槽に、前記ポンプと、水位測定手段と、排出時間測定手段と、制御部と、通信制御部とからなるポンプユニットを設け、
（ｂ１）前記水位測定手段は、前記汚水槽内の水位を測定し、前記ポンプの汚水排出により汚水槽内の水位が汚水槽の底付近に下がって、そのポンプの稼動を停止させるべき所定の水位であるポンプＯＦＦ水位、汚水流入により汚水槽内の水位が所定の高さとなってポンプによる汚水排出を開始させるべき所定の水位であるポンプＯＮ水位、汚水槽内の水位が汚水槽内の満水付近の所定の水位である満水前水位及び汚水槽の満水を示す所定の水位である満水水位をそれぞれ示す信号を前記制御部に出力するものであり、
（ｂ２）前記排出時間測定手段は、稼動したポンプによる汚水排出時間を測定して、その測定値を示す信号を前記制御部に出力するものであり、
（ｃ）前記制御部のうち、一つのポンプユニットの制御部は親機として、他のポンプユニットの制御部は子機としてそれぞれ機能するものであり、
（ｃ１）前記親機は、自身のポンプユニットと他のポンプユニットの水位測定手段からの水位を示す信号及び排出時間測定手段からの測定値を示す信号を監視するとともに、各ポンプユニットのポンプが稼動中か、非稼動中かを示す信号を受信して、
（ｃ１１）前記許容稼動台数のポンプが同時に稼動中に、非稼動中のポンプに係る汚水槽の水位測定手段から満水前水位以上を示す信号を入力したときは、現在稼動中のポンプのうち、運転開始後の汚水の排出時間が短いポンプの稼動を継続させ、かつ、運転開始後の汚水の排出時間が長いポンプを停止させるとともに、前記満水前水位以上を示す信号を出力した汚水槽の非稼動中のポンプの稼動を開始させる制御信号を当該ポンプを制御するポンプユニットに出力し、
（ｃ１２）非稼動中のポンプに係る汚水槽の水位測定手段から満水水位を示す信号を入力したときは、現在稼動中のポンプのうち、運転開始後の汚水の排出時間が短いポンプの稼動を継続させ、かつ、運転開始後の汚水の排出時間が長いポンプを停止させるとともに、前記満水水位の汚水槽の非稼動中のポンプの稼動を開始させる制御信号を出力するものであり、
（ｃ２）前記子機は、自身のポンプユニットの水位測定手段の水位を示す信号、排出時間測定手段の排出時間を示す信号及びポンプの稼動中又は非稼動中を示す信号を前記親機に送信するとともに、前記親機からの制御信号を受信してポンプを制御するものである、
ことを特徴とする圧力式下水道システム。
【請求項３】
各汚水槽内の汚水をポンプにより樹枝状配管を構成する枝管と本管を経て圧送する圧力式下水道システムであって、前記本管の容量に対して同時に稼動可能なポンプの台数である許容稼動台数が設定されているものにおいて、
（ａ）各汚水槽に、前記ポンプと、水位測定手段と、排出量測定手段と、制御部と、通信制御部とからなるポンプユニットを設け、
（ｂ１）前記水位測定手段は、前記汚水槽内の水位を測定し、前記ポンプの汚水排出により汚水槽内の水位が汚水槽の底付近に下がって、そのポンプの稼動を停止させるべき所定の水位であるポンプＯＦＦ水位、汚水流入により汚水槽内の水位が所定の高さとなってポンプによる汚水排出を開始させるべき所定の水位であるポンプＯＮ水位、汚水槽内の水位が汚水槽内の満水付近の所定の水位である満水前水位及び汚水槽の満水を示す所定の水位である満水水位をそれぞれ示す信号を前記制御部に出力するものであり、
（ｂ２）前記排出量測定手段は、稼動したポンプによる汚水排出量を測定して、その測定値を示す信号を前記制御部に出力するものであり、
（ｃ）前記制御部のうち、一つのポンプユニットの制御部は親機として、他のポンプユニットの制御部は子機としてそれぞれ機能するものであり、
（ｃ１）前記親機は、自身のポンプユニットと他のポンプユニットの水位測定手段からの水位を示す信号及び排出量測定手段からの測定値を示す信号を監視するとともに、各ポンプユニットのポンプが稼動中か、非稼動中かを示す信号を受信して、
（ｃ１１）前記許容稼動台数のポンプが同時に稼動中に、非稼動中のポンプに係る汚水槽の水位測定手段から満水前水位以上を示す信号を入力したときは、現在稼動中のポンプのうち、運転開始後の汚水の排出量が少ないポンプの稼動を継続させ、かつ、運転開始後の汚水の排出量が多いポンプを停止させるとともに、前記満水前水位以上を示す信号を出力した汚水槽の非稼動中のポンプの稼動を開始させる制御信号を当該ポンプを制御するポンプユニットに出力し、
（ｃ１２）非稼動中のポンプに係る汚水槽の水位測定手段から満水水位を示す信号を入力したときは、現在稼動中のポンプのうち、運転開始後の汚水の排出量が少ないポンプの稼動を継続させ、かつ、運転開始後の汚水の排出量が多いポンプを停止させるとともに、前記満水水位の汚水槽の非稼動中のポンプの稼動を開始させる制御信号を出力するものであり、
（ｃ２）前記子機は、自身のポンプユニットの水位測定手段の水位を示す信号、排出量測定手段の排出量を示す信号及びポンプの稼動中又は非稼動中を示す信号を前記親機に送信するとともに、前記親機からの制御信号を受信してポンプを制御するものである、
ことを特徴とする圧力式下水道システム。
【請求項４】
親機は、非稼動中のポンプに係る汚水槽の水位が満水水位となったときにおいて、現在稼動中の許容可動台数のポンプに係る汚水槽の汚水の水位がいずれも満水前水位以上となっているときは、汚水を排出している各家庭等に対して警報を発することを特徴とする請求項１ないし３のいずれか１項に記載の圧力式下水道システム。
【発明の詳細な説明】
【０００１】
【発明の属する技術分野】
本発明は、各汚水槽内の汚水をポンプにより樹枝状配管を構成する本管を経て圧送する圧力式下水道システムに関する。
【０００２】
【従来の技術】
一般的に、圧力式下水道システムは、汚水槽に設置されたポンプを制御してそのボンプにより汚水槽内の汚水を枝管に排出し、その枝管から本管により圧送するように構成されている。
【０００３】
上記本管の容量は、その本管に汚水排出量が集中する排出ラッシュ時間帯であっても無理なく圧送できるように設定されている。例えば、本管に対して５個のポンプが接続されている場合、本管に接続されている全てのポンプが同時に汚水を排出したときに対処できるようにすると、本管の口径が大きくなって設備コストがかさむので、上述の排出ラッシュ時間帯の汚水排出量が、例えば、３台のポンプが同時に稼動したときの汚水排出量に相当するとき、本管の容量は、その３台のポンプが同時に稼動しても無理なく圧送できるように設定されている。
【０００４】
また、上述のように、本管の容量に対して同時に稼動可能なポンプの台数(以下、これを許容稼動台数という。)が決められている場合は、許容稼動台数を超えるポンプからの汚水排出要求があったときは、現在稼動中のポンプが稼動を停止するまで、汚水排出要求をしたポンプに待機させたり、あるいは、許容稼動台数の中で稼動するポンプを強制的に指定する制御を行っている。
【０００５】
したがって、上述の許容稼動台数制御により、許容稼動台数を超える数のポンプが同時に稼動されて本管内の圧力損失が増大するのを防止でき、また、ポンプを駆動するモータに過負荷が生じるのを防止することができる。さらに、ポンプが駆動しても汚水を排出できないという不都合を防止することができる。
【０００６】
【発明が解決しようとする課題】
しかしながら、上記従来の圧力式下水道システムにおいては、本管の容量に対する許容稼動台数を超える数のポンプが同時に稼動されないように構成されているが、その非稼動中のポンプの設置されている汚水槽へは、非稼動中であっても汚水が流入するので、その汚水槽が満杯になるおそれがあった。
【０００７】
そこで、本発明は、上記欠点を解決するためになされたものであって、その目的は、本管の容量に対する許容稼動台数を超える数のポンプが同時に稼動されないように構成されている圧力式下水道システムにおいて、非稼動中のポンプが設置されている汚水槽が満杯になることを防止することができる圧力式下水道システムを提供することにある。
【０００８】
【課題を解決するための手段】
本発明は、上記目的を達成するために、各汚水槽内の汚水をポンプにより樹枝状配管を構成する枝管と本管を経て圧送する圧力式下水道システムであって、前記本管の容量に対して同時に稼動可能なポンプの台数である許容稼動台数が設定されているものにおいて、（ａ）各汚水槽に、前記ポンプと、水位測定手段と、制御部と、通信制御部とからなるポンプユニットを設け、（ｂ）前記水位測定手段は、前記汚水槽内の水位を測定し、前記ポンプの汚水排出により汚水槽内の水位が汚水槽の底付近に下がって、そのポンプの稼動を停止させるべき所定の水位であるポンプＯＦＦ水位、汚水流入により汚水槽内の水位が所定の高さとなってポンプによる汚水排出を開始させるべき所定の水位であるポンプＯＮ水位、汚水槽内の水位が汚水槽内の満水付近の所定の水位である満水前水位及び汚水槽の満水を示す所定の水位である満水水位をそれぞれ示す信号を前記制御部に出力するものであり、（ｃ）前記制御部のうち、一つのポンプユニットの制御部は親機として、他のポンプユニットの制御部は子機としてそれぞれ機能するものであり、（ｃ１）前記親機は、自身のポンプユニットと他のポンプユニットの水位測定手段からの水位を示す信号を監視するとともに、各ポンプユニットのポンプが稼動中か、非稼動中かを示す信号を受信して、（ｃ１１）前記許容稼動台数のポンプが同時に稼動中に、非稼動中のポンプに係る汚水槽の水位測定手段から満水前水位以上を示す信号を入力したときは、現在稼動中のポンプに係る汚水槽の水位測定手段からポンプＯＮ水位未満を示す信号を入力したときに、その汚水槽の稼動中のポンプを停止させるとともに、前記満水前水位以上を示す信号を出力した汚水槽の非稼動中のポンプの稼動を開始させる制御信号を当該ポンプを制御するポンプユニットに出力し、（ｃ１２）非稼動中のポンプに係る汚水槽の水位測定手段から満水水位を示す信号を入力したときは、稼動中のポンプに係る汚水槽の水位測定手段から満水前水位未満を示す信号を入力したとき、その稼動中のポンプを停止させるとともに、前記満水水位の汚水槽の非稼動中のポンプの稼動を開始させる制御信号を出力するものであり、（ｃ２）前記子機は、自身のポンプユニットの水位測定手段の水位を示す信号及びポンプの稼動中又は非稼動中を示す信号を前記親機に送信するとともに、前記親機からの制御信号を受信してポンプを制御するものであることを特徴としている。
また、本発明は、上記目的を達成するために、上記圧力式下水道システムおいて、（ａ）各汚水槽に、前記ポンプと、水位測定手段と、排出時間測定手段と、制御部と、通信制御部とからなるポンプユニットを設け、（ｂ１）前記水位測定手段は、前記汚水槽内の水位を測定し、前記ポンプの汚水排出により汚水槽内の水位が汚水槽の底付近に下がって、そのポンプの稼動を停止させるべき所定の水位であるポンプＯＦＦ水位、汚水流入により汚水槽内の水位が所定の高さとなってポンプによる汚水排出を開始させるべき所定の水位であるポンプＯＮ水位、汚水槽内の水位が汚水槽内の満水付近の所定の水位である満水前水位及び汚水槽の満水を示す所定の水位である満水水位をそれぞれ示す信号を前記制御部に出力するものであり、（ｂ２）前記排出時間測定手段は、稼動したポンプによる汚水排出時間を測定して、その測定値を示す信号を前記制御部に出力するものであり、（ｃ）前記制御部のうち、一つのポンプユニットの制御部は親機として、他のポンプユニットの制御部は子機としてそれぞれ機能するものであり、（ｃ１）前記親機は、自身のポンプユニットと他のポンプユニットの水位測定手段からの水位を示す信号及び排出時間測定手段からの測定値を示す信号を監視するとともに、各ポンプユニットのポンプが稼動中か、非稼動中かを示す信号を受信して、（ｃ１１）前記許容稼動台数のポンプが同時に稼動中に、非稼動中のポンプに係る汚水槽の水位測定手段から満水前水位以上を示す信号を入力したときは、現在稼動中のポンプのうち、運転開始後の汚水の排出時間が短いポンプの稼動を継続させ、かつ、運転開始後の汚水の排出時間が長いポンプを停止させるとともに、前記満水前水位以上を示す信号を出力した汚水槽の非稼動中のポンプの稼動を開始させる制御信号を当該ポンプを制御するポンプユニットに出力し、（ｃ１２）非稼動中のポンプに係る汚水槽の水位測定手段から満水水位を示す信号を入力したときは、現在稼動中のポンプのうち、運転開始後の汚水の排出時間が短いポンプの稼動を継続させ、かつ、運転開始後の汚水の排出時間が長いポンプを停止させるとともに、前記満水水位の汚水槽の非稼動中のポンプの稼動を開始させる制御信号を出力するものであり、（ｃ２）前記子機は、自身のポンプユニットの水位測定手段の水位を示す信号、排出時間測定手段の排出時間を示す信号及びポンプの稼動中又は非稼動中を示す信号を前記親機に送信するとともに、前記親機からの制御信号を受信してポンプを制御するものであることを特徴としている。
さらに、本発明は、上記目的を達成するために、上記圧力式下水道システムにおいて、（ａ）各汚水槽に、前記ポンプと、水位測定手段と、排出量測定手段と、制御部と、通信制御部とからなるポンプユニットを設け、（ｂ１）前記水位測定手段は、前記汚水槽内の水位を測定し、前記ポンプの汚水排出により汚水槽内の水位が汚水槽の底付近に下がって、そのポンプの稼動を停止させるべき所定の水位であるポンプＯＦＦ水位、汚水流入により汚水槽内の水位が所定の高さとなってポンプによる汚水排出を開始させるべき所定の水位であるポンプＯＮ水位、汚水槽内の水位が汚水槽内の満水付近の所定の水位である満水前水位及び汚水槽の満水を示す所定の水位である満水水位をそれぞれ示す信号を前記制御部に出力するものであり、（ｂ２）前記排出量測定手段は、稼動したポンプによる汚水排出量を測定して、その測定値を示す信号を前記制御部に出力するものであり、（ｃ）前記制御部のうち、一つのポンプユニットの制御部は親機として、他のポンプユニットの制御部は子機としてそれぞれ機能するものであり、（ｃ１）前記親機は、自身のポンプユニットと他のポンプユニットの水位測定手段からの水位を示す信号及び排出量測定手段からの測定値を示す信号を監視するとともに、各ポンプユニットのポンプが稼動中か、非稼動中かを示す信号を受信して、（ｃ１１）前記許容稼動台数のポンプが同時に稼動中に、非稼動中のポンプに係る汚水槽の水位測定手段から満水前水位以上を示す信号を入力したときは、現在稼動中のポンプのうち、運転開始後の汚水の排出量が少ないポンプの稼動を継続させ、かつ、運転開始後の排出量が多いポンプを停止させるとともに、前記満水前水位以上を示す信号を出力した汚水槽の非稼動中のポンプの稼動を開始させる制御信号を当該ポンプを制御するポンプユニットに出力し、（ｃ１２）非稼動中のポンプに係る汚水槽の水位測定手段から満水水位を示す信号を入力したときは、現在稼動中のポンプのうち、運転開始後の汚水の排出量が少ないポンプの稼動を継続させ、かつ、運転開始後の汚水の排出量が多いポンプを停止させるとともに、前記満水水位の汚水槽の非稼動中のポンプの稼動を開始させる制御信号を出力するものであり、（ｃ２）前記子機は、自身のポンプユニットの水位測定手段の水位を示す信号、排出量測定手段の排出量を示す信号及びポンプの稼動中又は非稼動中を示す信号を前記親機に送信するとともに、前記親機からの制御信号を受信してポンプを制御するものであることを特徴としている。
【０００９】
上記親機は、非稼動中のポンプに係る汚水槽の水位が満水水位となったときにおいて、現在稼動中の許容可動台数のポンプに係る汚水槽の汚水の水位がいずれも満水前水位以上となっているときは、汚水を排出している各家庭等に対して警報を発するものであることが望ましい。
【００１０】
【発明の実施の形態】
以下、本発明の実施の形態を図面に基づいて説明する。図１は、一実施の形態に係る圧力式下水道システムの概略構成図である。図１において、１０は図外の圧送先まで通じる本管であり、１０´はその本管に接続されている枝管であって、これらの本管１０と枝管１０´により樹枝状配管が構成されている。そして、各枝管１０´の先端は、各家庭等の汚水発生源から排出される汚水を受入れる所定の容量を有する汚水槽１に接続されており、その汚水槽１に、槽内の汚水をポンプにより枝管１０´を介して本管１０により排出するためのポンプユニットａ１〜ａ５が設置されている。
【００１１】
いずれの汚水槽１に設置されるポンプユニットも、基本的に同一の構成を有するので、図１には、図面の簡明化のため、一つのポンプユニットａ１のみの詳細を示し、他のポンプユニットａ２〜ａ５の詳細は省略してある。
【００１２】
ポンプユニットａ1 は、ポンプＰと、水位測定手段としての水位計２と、制御部３と、通信制御部４とから構成されている。
ポンプＰは、グラインダポンプであるが、その他のポンプであってもよい。汚水槽１内の汚水を枝管１０´を介して本管１０により排出するためのものである。水位計２は、汚水槽１内の汚水の水位を測定するためのものである。この水位計には、隔膜式，電極式，超音波式等の周知の各種水位計を用いることができる。
【００１３】
水位計２は、汚水槽１内の水位を測定するものであって、ポンプＰの汚水排出により汚水槽１内の水位が汚水槽１の底付近まで下がったときの、ポンプＰの稼動を停止させるべき所定の水位  （以下、「ポンプＯＦＦ水位」という）Ｌ、汚水流入により汚水槽１内の水位が所定の高さまで上がったときの、ポンプＰによる汚水排出を開始させるべき所定の水位（以下、「ポンプＯＮ水位」という）Ｈ、汚水槽１内の水位がさらに上がった汚水槽１内の満水付近の所定の水位（以下、「満水前水位」という）２Ｈ（ＨＨ）、及び汚水槽１の満水時の所定の水位（以下、「満水水位」という）３Ｈ（ＨＨＨ）を示す信号を制御部３に出力するように構成されている。
【００１４】
制御部３は、ＣＰＵを中心に構成されていて、水位計２から入力した信号及び通信制御部４を介して他のポンプユニットａ2〜ａ5から入力した情報を基に演算処理して、ポンプＰの稼動を後述のごとく制御するように構成されている。
通信制御部４は、ＲＳ２３２Ｃ等を用いる周知のものであり、公衆回線網又は専用回線等の通信回線５を介して通信ネットワーク（ＬＡＮ）を構成している。この通信ネットワークにおいて、ポンプユニットａ1 の制御部３は、親機の機能を果し、他のポンプユニットａ2 〜ａ5 の制御部３，３…が子機となるように接続されている。もちろん、ポンプユニットａ1 〜ａ5 のうちのいずれのポンプユニットの制御部を親機とするかは、任意である。また、親機としての制御部３は、通信回線５を介して汚水を排出している家庭等の所定の箇所に対して汚水排出禁止の通報ができるように構成されている。
【００１５】
本管１０には、各ポンプユニットａ1 〜ａ5 のポンプＰから枝管１０′，１０′…を介して汚水が排出されるが、上述したように、本管１０の容量は、同時に稼動可能な台数（許容稼動台数）のポンプの総吐出量を圧送できるように設定されている。
【００１６】
以下、図２のフローチャートを用いて制御動作について説明する。説明を簡単にするために、樹枝状配管に接続されている汚水槽１の数、従って、ポンプユニットの数は５個で、許容稼動台数は３個である場合を想定して説明する。
圧力式下水道システムが運転されている間は、ポンプユニットａ2 〜ａ5 の各制御部から当該ポンプユニットの水位計２の水位を示す信号とポンプＰが稼動中か、非稼動中かの信号が、通信回線５を介してポンプユニットａ１の親機として機能する制御部３に入力する。
【００１７】
ポンプユニットａ１の制御部３は、稼動中のポンプＰの台数が１台又は２台のときは（ステップ１００否定。以下、ステップを「Ｓ」とする。）、本管１０の容量に十分に余裕があるので、特別な制御を行わず、リターンに移行する。
【００１８】
これに対して、同時に稼動中のポンプＰの台数が３台の(すなわち、許容稼動台数と等しい)ときは（Ｓ１００肯定）、ポンプユニットａ１の制御部３は、非稼動中のポンプＰが設置されている汚水槽１内の汚水の水位によって、すなわち、当該水位計からの信号に基づいて、以下のような演算制御を行なう。
【００１９】
すなわち、ポンプユニットａ１の制御部３は、ポンプＰが３台同時に稼動中に、非稼動中のポンプＰに係る汚水槽１の水位計２からの信号によりその汚水槽１の汚水の水位が満水前水位２Ｈ以上になったものがないと判断した場合は（Ｓ１０２否定）、現在稼動中の３台のポンプＰによる汚水排出を続行させる制御信号を、通信回線５を介して当該ポンプユニットの制御部３に与えるが、前記非稼動中のポンプＰに係る汚水槽１の汚水の水位が満水前水位２Ｈ以上になったものがあると判断したときは（Ｓ１０２肯定）、現在稼動中のいずれかのポンプＰによる汚水排出を停止させて、その満水前水位２Ｈ以上となった汚水槽１の汚水の排出を優先させる（Ｓ１０４）。
【００２０】
この優先排出は、現在稼動中のポンプＰに係る汚水槽１の水位計２からの信号によりその汚水の水位がポンプＯＮ水位Ｈ未満のものがあると判断したとき、その汚水槽１のポンプＰを停止させ（Ｓ１０６肯定、Ｓ１０８）、かつ、満水前水位２Ｈに達した汚水槽１のポンプＰの稼動を開始させる制御信号を当該非稼動中のポンプＰを制御するポンプユニットに出力することにより行なう（Ｓ１１０）。
【００２１】
非稼動中のポンプＰに係る汚水槽１の水位計２からの信号により汚水の水位が満水水位３Ｈになったものがあると判断した場合（Ｓ１０４否定）は、その汚水槽１に汚水受入れの余裕がないので、その汚水槽からの排出が最優先される。すなわち、稼動中のポンプＰに係る汚水槽１の水位計２からの信号により満水前水位２Ｈ未満であると判断したときは、ポンプユニットａ１の制御部３は、その汚水槽１のポンプＰを停止させる制御信号を出力するとともに、満水水位３Ｈになった汚水槽１のポンプＰの稼動を開始させる制御信号を出力する（Ｓ１１２肯定、Ｓ１１４、Ｓ１１６）。
【００２２】
しかし、非稼動中のポンプＰに係る汚水槽１の汚水の水位が満水水位３Ｈとなっているときにおいて、現在稼動中の３台（許容可動台数）のポンプＰに係る汚水槽１の汚水の水位がいずれも満水前水位２Ｈ以上となることは（Ｓ１１２否定）、圧力式下水道システム全体として処理できない量の汚水が集中して発生している異常事態である。通常は、このような異常事態が発生しないように、本管の容量と許容可動台数が設定されているのであるが、万一、このような異常事態が発生したときは、ポンプユニットａ1 の制御部３は、汚水を排出している各家庭等に対して汚水の排出を行わないようにとの警報を発する（Ｓ１１８）ことが望ましい。
【００２３】
上述のように、親機は、各汚水槽の汚水の水位を常時監視し、許容稼動台数のポンプの稼動中に非稼動中のポンプに係る汚水槽のポンプユニットから汚水排出の要求があった場合は、同時に稼動されるポンプの台数が許容稼動台数を超えない範囲で、各汚水槽の汚水の水位の高低によって、稼動中のいずれかのポンプの稼動を止め、非稼動中の汚水排出の要求をしたポンプを優先的に稼動させる演算制御を行なうので、汚水槽が満杯になるのを効果的に防止することができる。
【００２４】
なお、上述の例では、本管１０に５個のポンプユニットａ1 〜ａ5 が接続されている例を示したが、本管１０に接続されるポンプユニットの数は任意である。
また、上述の例では、各ポンプユニットａ1 〜ａ5 は、許容稼動台数のポンプが同時に稼動中に、非稼動中のポンプに係る汚水槽１の汚水の水位が満水前水位以上になった場合は稼動中のポンプに係る汚水槽の汚水の水位がポンプＯＮ水位未満になったときに、又は非稼動中のポンプのうち汚水槽の汚水の水位が満水水位になった場合は稼動中のポンプに係る汚水槽の汚水の水位が満水前水位未満になったときに、すなわち、汚水槽の汚水水位によって、その稼動中のポンプを停止して、満水前水位以上になった汚水槽の非稼動中のポンプを優先的に稼動させるようにしたが、制御部による各ポンプの制御を、上述された汚水槽の汚水水位監視による制御に代えて、排出時間監視による制御、あるいは、排出量監視による制御を行うこともできる。
すなわち、排出時間監視による制御においては、非稼動中のポンプに係る汚水槽の汚水の水位が満水前水位以上になった場合は、同時に稼動中の許容稼動台数のポンプのうち、運転開始後の汚水の排出時間の短いポンプの稼動を続行し、運転開始後の汚水の排出時間の長いポンプを停止して、満水前水位以上になった汚水槽の非稼動中のポンプを優先的に稼動させるように制御する。つまり、運転開始後の汚水の排出時間の短いポンプを、優先的に稼動させる。また、排出量監視による制御においては、非稼動中のポンプに係る汚水槽の汚水の水位が満水前水位以上になった場合は、同時に稼動中の許容稼動台数のポンプのうち、運転開始後の汚水の排出量の少ないポンプの稼動を続行し、汚水排出開始からの排出量の多いポンプを停止して、満水前水位以上になった汚水槽の非稼動中のポンプを優先的に稼動させるように制御する。つまり、運転開始後の汚水の排出量の少ないポンプを、優先的に稼動させる。
【００２５】
【発明の効果】
本発明によれば、本管の容量に対する許容稼動台数を超える数のポンプが同時に稼動されないように構成されている圧力式下水道システムにおいて、非稼動中のポンプが設置されている汚水槽が満杯になることを効果的に防止することができる。
【図面の簡単な説明】
【図１】  本発明の一実施の形態に係る圧力式下水道システムの概略構成図である。
【図２】  制御動作を示すフローチャートである。
【符号の説明】
ａ1 〜ａ5   ポンプユニット
１  汚水槽
２  水位測定手段（水位計）
３  制御部
４  通信制御部
５  通信回線
Ｐ  ポンプ（グラインダポンプ）
【図１】
0004674929.tif 000002
【図２】
0004674929.tif 000003